(57)【要約】【課題】形状の異なる様々な遊技機島やパチンコ機に対応可能なパチンコ球補給装置を提供する。【解決手段】パチンコ機の内枠の開閉に伴って出入りする賞球タンク１１の背面側壁に係合して、内枠を閉じたときの第１位置（図１で破線表示）と開いたときの第２位置（図１で実線表示）とに交互に回動する開閉レバー６１を備え、開閉レバー６１が第１位置のときパチンコ球が排出部７０から流出可能な補給状態となり、第２位置のとき補給停止状態が形成されるパチンコ球補給装置３０において、開閉レバー６１の賞球タンク１１と係合する箇所にスペーサ部材１００を着脱可能に取り付ける。また、パチンコ球補給装置３０を賞球タンク１１が進退する水平方向に位置調整可能にする。【選択図】図１
2006238943.tif 000002
【特許請求の範囲】
【請求項１】
遊技機島内の補給経路から供給されるパチンコ球を、この遊技機島に列設されたパチンコ機の背面に設置された賞球タンクに補給するパチンコ球補給装置であって、
前記遊技機島に取り付けられるベース部と、
前記パチンコ機の内枠の開閉に伴って移動する前記賞球タンクの側壁と係合して、前記内枠を閉じたときの第１位置と開いたときの第２位置とに交互に回動するように前記ベース部に軸支された開閉レバーと、
前記補給経路から供給されるパチンコ球の排出部と、
前記開閉レバーが前記第１位置にあるときにパチンコ球が前記排出部から流出可能な補給状態を形成し、前記第２位置にあるときにパチンコ球が前記排出部から流出不能な補給停止状態を形成するパチンコ球流出阻止機構とを備え、
前記開閉レバーの前記側壁と係合する箇所に所定のスペーサ部材を着脱可能に取り付けた
ことを特徴とするパチンコ球補給装置。
【請求項２】
前記ベース部は、遊技機島に固定された固定部と、この固定部に対して、遊技機島の奥行き方向である水平方向に位置調整可能に取り付けられた変位部とを備え、
前記開閉レバーが前記変位部に軸支されている
ことを特徴とする請求項１に記載のパチンコ球補給装置。
【請求項３】
前記変位部の位置調整可能な範囲を前記スペーサ部材の厚み以上にした
ことを特徴とする請求項２に記載のパチンコ球補給装置。
【請求項４】
前記スペーサ部材と前記開閉レバーとの着脱機構は、前記開閉レバーに開設された穴部と、前記スペーサ部材に設けられ、前記穴部に挿入される係止部とから成り、
前記穴部と前記係止部とは、前記係止部を前記穴部に挿入した後、その挿入方向を軸として前記スペーサ部材を所定角度回転させることで互いが係止するように構成されている
ことを特徴とする請求項１、２または３に記載のパチンコ球補給装置。
【請求項５】
前記スペーサ部材をその厚み方向に複数連結可能にした
ことを特徴とする請求項１、２、３または４に記載のパチンコ球補給装置。
【発明の詳細な説明】
【技術分野】
【０００１】
本発明は、遊技機島に列設されたパチンコ機の背面に設置された賞球タンクに遊技機島内の補給経路からパチンコ球を補給するパチンコ球補給装置に係わり、特に、パチンコ球補給装置を形状の異なる様々な遊技機島やパチンコ機に対応可能にするための技術に関する。
【背景技術】
【０００２】
遊技機島に列設されるパチンコ機は、遊技機島の横桟に固定される外枠と、遊技盤や回路部品などパチンコ機の主要部品を納めた内枠とを備えており、この内枠は外枠の前部の縦一側端にヒンジを介して扉状に開閉可能に取り付けられている。パチンコ機の点検や修理は内枠を開いて行なわれる。
【０００３】
また、パチンコ機の背面上部には賞球タンクが設置してあり、パチンコ球は、遊技機島内の補給経路からパチンコ球補給装置を通じて賞球タンクに供給される。パチンコ球補給装置は、内枠の開閉に伴って出入りする賞球タンクの側壁に係合して回動する開閉レバーを有し、パチンコ機の内枠を閉じてこの開閉レバーが略水平な第１位置になったときはパチンコ球を流出可能な補給状態となり、内枠を開いて開閉レバーが略鉛直な第２位置になったときには補給停止状態となるように構成されている。
【０００４】
内枠を閉じたときに補給状態となるためには、内枠を閉じた状態で賞球タンクの側壁が開閉レバーをちょうど第１位置に回動させる位置に進出していなければならない。ところが、遊技機島やパチンコ機の種類が異なると遊技機島に対する外枠の取り付け位置や賞球タンクの形状などが様々に変化するので、場合によっては内枠を閉じたときに補給状態をうまく形成できないことがある。
【０００５】
たとえば、内枠を閉じたときに賞球タンクの側壁が遊技機島の内方へ進出し過ぎると、開閉レバーの先端が賞球タンクの側壁を乗り越えてしまう場合がある。そこで、開閉レバーにその長さを延長するための延長部材を着脱可能に取り付けるようにしたパチンコ球補給装置が提案されている（たとえば、特許文献１参照。）。
【０００６】
【特許文献１】特開２００２−２９２０８７号公報
【発明の開示】
【発明が解決しようとする課題】
【０００７】
開閉レバーの長さを延長部材で延長する方法は、内枠を閉じたときに開閉レバーの先端が賞球タンクの側壁を乗り越えてしまう場合には有効であるが、逆に、内枠を閉じたときの賞球タンクの進出量が少なく、開閉レバーの回動量が足りない場合には対応できなかった。
【０００８】
本発明は、上記の問題を解決しようとするものであり、形状の異なる様々な遊技機島やパチンコ機に対応可能なパチンコ球補給装置を提供することを目的としている。
【課題を解決するための手段】
【０００９】
請求項１に係わる発明は、遊技機島内の補給経路から供給されるパチンコ球を、この遊技機島に列設されたパチンコ機の背面に設置された賞球タンク（１１）に補給するパチンコ球補給装置であって、
前記遊技機島に取り付けられるベース部（３１、３２、３３）と、
前記パチンコ機の内枠（１３）の開閉に伴って移動する前記賞球タンク（１１）の側壁と係合して、前記内枠（１３）を閉じたときの第１位置と開いたときの第２位置とに交互に回動するように前記ベース部（３１、３２、３３）に軸支された開閉レバー（６１）と、
前記補給経路から供給されるパチンコ球の排出部（７０）と、
前記開閉レバー（６１）が前記第１位置にあるときにパチンコ球が前記排出部（７０）から流出可能な補給状態を形成し、前記第２位置にあるときにパチンコ球が前記排出部（７０）から流出不能な補給停止状態を形成するパチンコ球流出阻止機構（７３、７４）とを備え、
前記開閉レバー（６１）の前記側壁と係合する箇所に所定のスペーサ部材（１００）を着脱可能に取り付けた
ことを特徴とするパチンコ球補給装置である。
【００１０】
上記発明によれば、パチンコ機の内枠（１３）を閉じた状態でも賞球タンク（１１）の遊技機島内方への進出量が足りず、賞球タンク（１１）の側壁に係合する開閉レバー（６１）を補給状態の形成される第１位置まで回動させることができない場合でも、適当な厚みのスペーサ部材（１００）を開閉レバー（６１）に装着することで、内枠（１３）を閉じたときに開閉レバー（６１）が第１位置まで回動して補給状態が形成されるようになる。すなわち、開閉レバー（６１）の係合箇所から賞球タンク（１１）の側壁までの水平距離がスペーサ部材（１００）の着脱により調整される。
【００１１】
請求項２に係わる発明は、前記ベース部（３１、３２、３３）は、遊技機島に固定された固定部（３１）と、この固定部（３１）に対して、遊技機島の奥行き方向である水平方向に位置調整可能に取り付けられた変位部（３２、３３）とを備え、
前記開閉レバー（６１）が前記変位部（３２、３３）に軸支されている
ことを特徴とする請求項１に記載のパチンコ球補給装置である。
【００１２】
上記発明によれば、開閉レバー（６１）の位置自体を遊技機島の奥行き方向である水平方向に調整できる。スペーサ部材（１００）の厚みよりも細かく位置調整可能にするとよい。
【００１３】
請求項３に係わる発明は、前記変位部（３２、３３）の位置調整可能な範囲を前記スペーサ部材（１００）の厚み以上にした
ことを特徴とする請求項２に記載のパチンコ球補給装置である。
【００１４】
上記発明によれば、変位部（３２、３３）の位置調整により、スペーサ部材（１００）を装着した場合と同等の効果が発揮される。
【００１５】
請求項４に係わる発明は、前記スペーサ部材（１００）と前記開閉レバー（６１）との着脱機構は、前記開閉レバー（６１）に開設された穴部（６６）と、前記スペーサ部材（１００）に設けられ、前記穴部（６６）に挿入される係止部（１０２、１０２ａ）とから成り、
前記穴部（６６）と前記係止部（１０２、１０２ａ）とは、前記係止部（１０２、１０２ａ）を前記穴部（６６）に挿入した後、その挿入方向を軸として前記スペーサ部材（１００）を所定角度回転させることで互いが係止するように構成されている
ことを特徴とする請求項１、２または３に記載のパチンコ球補給装置である。
【００１６】
上記発明によれば、開閉レバー（６１）の穴部（６６）にスペーサ部材（１００）の係止部（１０２、１０２ａ）を挿入した状態でスペーサ部材（１００）を回転させるだけでスペーサ部材（１００）の装着や取り外しが可能になる。
【００１７】
請求項５に係わる発明は、前記スペーサ部材（１００）をその厚み方向に複数連結可能にした
ことを特徴とする請求項１、２、３または４に記載のパチンコ球補給装置である。
【００１８】
上記発明によれば、スペーサ部材（１００）の連結により、調整範囲が拡大する。
【発明の効果】
【００１９】
本発明に係わるパチンコ球補給装置によれば、パチンコ機の賞球タンクの側壁と係合して回動する開閉レバーの係合箇所にスペーサ部材を着脱可能に取り付けたので、パチンコ機の内枠を閉じた状態において賞球タンクの遊技機島内方への進出量が足りずに、補給状態となる位置まで開閉レバーが回動しない場合でも、適当な厚みのスペーサ部材を開閉レバーに装着することで、賞球タンクの進出量不足を補うことができ、内枠を閉じたときにパチンコ球の補給状態を確実に形成することができる。
【００２０】
また、開閉レバーの取り付け位置を遊技機島の奥行き方向である水平方向に調整可能にしたので、スペーサ部材の着脱では調整できない微妙な調整が可能になる。また、調整範囲をスペーサ部材の厚み以上にすることで、スペーサ部材が足りない場合でも、スペーサ部材の装着に相当する距離を調整することができる。
【００２１】
また、開閉レバーの穴部にスペーサ部材の係止部を挿入してスペーサ部材を回転させるだけでスペーサ部材の装着や取り外しが可能なように着脱機構を構成したものでは、遊技機島に取り付けられた遊技機の裏側のような狭い場所でも、簡単な作業でスペーサ部材を着脱することができる。
【００２２】
スペーサ部材をその厚み方向に複数連結可能にしたものでは、スペーサ部材の連結個数を変えることで調整範囲を広げることができる。また、多様な調整量に１種類のスペーサ部材で対応できる。
【発明を実施するための最良の形態】
【００２３】
以下、図面に基づき本発明の実施の形態を説明する。
【００２４】
図２は、本発明に係わるパチンコ球補給装置を適用した遊技機島２０の一部を示している。遊技機島２０は、パチンコ機１０と玉貸機２とを一組としたものを多数列設収容しており、遊技機島２０の上部には、遊技機島２０の中央上部に設置された図示省略の上部タンクから島端に向けてパチンコ球を流すための玉補給樋２１が架け渡してある。
【００２５】
この玉補給樋２１の途中には、ここを流下するパチンコ球を取り込むための玉取入器２２が各パチンコ機１０に対応して取り付けてある。玉取入器２２によって取り込まれたパチンコ球は、蛇腹状の玉補給管２３を通じて各パチンコ機１０に供給される。また、遊技機島２０の下部には、各パチンコ機１０から排出されたパチンコ球を島中央に設置された図示省略の揚送研磨装置へ回収するための回収樋２４が島端から島中央に向けて下方傾斜するように架け渡してある。揚送研磨装置は、回収されたパチンコ球を研磨しながら上部タンクまで搬送する機能を果たし、パチンコ球は島内で循環して再利用される。
【００２６】
このほか遊技機島２０の内部には、玉貸機２に投入された紙幣を島端の金庫へ搬送する紙幣搬送機２５や、玉貸機２に投入された硬貨を搬送するコイン搬送機２６などが設置されている。
【００２７】
図３および図４は、パチンコ球補給装置３０の遊技機島２０への取り付け状態を示している。図３は、パチンコ機１０を背面側から見た様子を、図４は、パチンコ機１０を側方から見た様子を示している。
【００２８】
パチンコ機１０は、遊技機島２０の横桟２７に支持固定される方形状の外枠１２を有し、この外枠１２の前方の縦一側端にヒンジを介して内枠１３が扉状に開閉自在に取り付けられている。この内枠１３に、図示省略の遊技盤や回路部品などパチンコ機１０を構成する部品の大部分が装着されている。
【００２９】
内枠１３の裏側上部には、玉補給管２３を通じて供給されるパチンコ球を一時的に貯留するための賞球タンク１１が取り付けてある。賞球タンク１１内のパチンコ球は、パチンコ機１０の正面に設けられた上受け皿１４（図２参照）に景品球（賞球）や貸玉として払い出される。
【００３０】
パチンコ球補給装置３０は、パチンコ機１０毎に、賞球タンク１１の上方に位置するように遊技機島２０の横桟２７に取り付けられる。パチンコ球補給装置３０は、玉補給管２３を通じて供給されるパチンコ球を賞球タンク１１へ飛び出しの無いように排出して補給するものであり、常時連続的にパチンコ球を補給する常時補給方式の補給装置である。
【００３１】
内枠１３の裏面に取り付けられている賞球タンク１１や各種の部品は、内枠１３の開閉に伴い、外枠１２に対して出入りするように移動する。したがって、内枠１３を閉じると、図１に示すように賞球タンク１１はパチンコ球補給装置３０の下方へ進出し（破線で表示）、内枠１３を開くと賞球タンク１１が遊技機島の外方へ移動してパチンコ球補給装置３０の下方から退却（実線で表示）するようになっている。
【００３２】
次に、図１および図５から図２５を参照してパチンコ球補給装置３０の構成および機能を説明する。図６に示すように、パチンコ球補給装置３０は、遊技機島２０の横桟２７に螺子で固定される固定部３１と、この固定部３１に対して、遊技機島２０の奥行き方向である水平方向に位置調整可能に取り付けられる可動取付ベース３２と、この可動取付ベース３２に対して上下方向にスライドして位置調整可能に取り付けられたホルダー部３３とを備え、このホルダー部３３にパチンコ球を補給するための各種の機能部品が取り付けられている。
【００３３】
固定部３１は、図７に示すように、矩形平板の長手方向中央にコの字状の切欠き部３１ａを有し、この切欠き部３１ａの両横で断面Ｌ字となるように立設した位置決め壁３１ｂを有している。左右の位置決め壁３１ｂにはそれぞれ固定部３１を横桟２７に固定するための螺子を通す螺子穴３１ｃが設けてある。また、矩形平板部分の長手方向両端近傍には丸穴３１ｄが開設してある。
【００３４】
図８は、可動取付ベース３２を示している。可動取付ベース３２は矩形平板の長手方向中央部に断面Ｌ字となるように立設した支持壁３２ａを有している。支持壁３２ａは固定部３１の切欠き部３１ａの中にちょうど収まる幅になっている。可動取付ベース３２の矩形平板部分の長手方向両端近傍には、固定部３１の丸穴３１ｄと対応する位置に、この可動取付ベース３２の長手方向と直交する方向に長い長穴３２ｂが開設されている。
【００３５】
固定部３１と可動取付ベース３２とは、図９に示すように、固定部３１の上に可動取付ベース３２を、その支持壁３２ａが固定部３１の切欠き部３１ａに収まるように組み合わせて重ね合わされる。パチンコ球補給装置３０は、このように組み合わせた状態で、図６（ｂ）に示すように、固定部３１のＬ字の角と横桟２７の下端手前の角とを合わせるようにして遊技機島２０の横桟２７に取り付けられる。すなわち、同図（ａ）に示すように、下方から螺子３１ｅを固定部３１の丸穴３１ｄに通し、さらにこの螺子３１ｅを可動取付ベース３２の長穴３２ｂに通して横桟２７に止める。また固定部３１を、その位置決め壁３１ｂの螺子穴３１ｃに通した螺子３１ｆで横桟２７に固定する（同図（ｂ））。なお、横桟２７は、固定部３１に設けた切欠き部３１ａに合わせてコの字状に切り欠いてある。
【００３６】
螺子３１ｅを緩めることで、可動取付ベース３２を遊技機島２０の奥行き方向に水平にスライドさせて位置調整できるようになっている。ここで、可動取付ベース３２の支持壁３２ａの形状に合わせて固定部３１側に切欠き部３１ａを設け、かつこの切欠き部３１ａに合わせて横桟２７を切り欠いてあるので、可動取付ベース３２をその分だけ横桟２７の端面より内側へ移動させることが可能になっている。なお、変位部は可動取付ベース３２とホルダー部３３とからなり、この変位部と固定部３１とによりベース部が構成される。
【００３７】
図５、図６、図８等に示すよう、可動取付ベース３２は、溶接などで支持壁３２ａに貼り合わすように固定された矩形板状の底面部３４ａ（図８参照）とその左右両端に立設された右側壁３４ｂと左側壁３４ｃとから構成されたスライドレール３４を有している。スライドレール３４のこれらの側壁３４ｂ、３４ｃにはそれぞれ底面部３４ａと平行に延びるスライドガイド穴３７、３８が形成されている。また、左側壁３４ｃには、スライドガイド穴３８に沿って並ぶ複数の位置決め穴３９が設けてある（図６参照）。
【００３８】
図８に示すように、ホルダー部３３の左端にはスライドレール３４の左側壁３４ｃと近接対面する内側壁４１があり、ホルダー部３３の右端にはスライドレール３４の右側壁３４ｂのスライドガイド穴３７に係合する係合片４２が設けてある。また、内側壁４１には、スライドレール３４の左側壁３４ｃの位置決め穴３９に係合する突起と、螺子穴とが設けてある。
【００３９】
ホルダー部３３は、図５、図６、図８等に示すよう、係合片４２をスライドレール３４の右側壁３４ｂのスライドガイド穴３７に挿入し、内側壁４１の突起を位置決め穴３９に嵌めた状態で、スライドレール３４の左側壁３４ｃの外側からスライドガイド穴３８を通して蝶ボルト４３を先の螺子穴に締め込むことでスライドレール３４に固定される。蝶ボルト４３を緩めることで、パチンコ機１０の賞球タンク１１と遊技機島２０の横桟２７との距離に応じてホルダー部３３を上下にスライドさせて適宜の位置に固定することができる。
【００４０】
図５は、ホルダー部３３を最下端にスライドさせて固定した状態におけるパチンコ球補給装置３０の正面を示している。また、図１０は、ホルダー部３３を最上端にスライドさせて固定した状態におけるパチンコ球補給装置３０の正面を示している。
【００４１】
ホルダー部３３の右上部には、玉補給管２３の下端部が接続される接続プラグ５１がその接続口を上向きにして支持されている。また、ホルダー部３３の左下部には、スライドレール３４の底面部３４ａに対して垂直手前に突出した断面下向きコの字の支持腕５２が設けてある。この支持腕５２の先端に、開閉レバー６１が底面部３４ａと平行かつ横向き（水平となる）の回転軸５３で軸支されている。
【００４２】
開閉レバー６１は、図１に示すように、内枠１３の開閉に応じて出入りする賞球タンク１１の側壁（詳細には背面上端）と係合し、内枠１３を閉じたときの第１位置（図中破線表示）と、内枠１３を開いたときの第２位置（図中実線表示）とに交互に回動するようになっている。第１位置では、内枠１３を閉じたときに遊技機島の内方へ進出した賞球タンク１１の背面壁に押し上げられて開閉レバー６１が水平よりやや下向きの状態になる。
【００４３】
第２位置は、内枠１３を開いたときに賞球タンク１１の退却に追従して開閉レバー６１が略鉛直となった状態である。第１位置方向への開閉レバー６１の回動限界は、支持腕５２の天井面と開閉レバー６１との接触により規制される。
【００４４】
図６に示すように、開閉レバー６１には、回転軸５３に軸支された基端側からこの回転軸５３と直交する方向に排出腕６２が突設されており、開閉レバー６１と排出腕６２とにより、全体として略Ｌ字状のコック部材６０を成している。排出腕６２の先端には、図１、図５、図１０等に示すように、パチンコ球の排出部７０が設けてある。
【００４５】
排出部７０は、排出腕６２の先端に形成されかつ開閉レバー６１を軸支する回転軸５３と平行に延びる略円筒状の空洞部７１（図１２参照）と、この空洞部７１に嵌入される図１３から図１５等に示す排出ノズル７２と、空洞部７１に開設されたアウター排出口７３（図１１、図１２等参照）と、排出ノズル７２に開設されたインナー排出口７４（図１３、図１４等参照）とから構成されている。
【００４６】
なお、図１１は、コック部材６０の正面を、図１２は、コック部材６０の図１１におけるＡ−Ａ矢視断面をそれぞれ示している。また、図１３は、排出ノズル７２の正面を、図１４は排出ノズル７２の図１３におけるＢ−Ｂ矢視断面を、図１５は、空洞部７１に排出ノズル７２を嵌入した状態をそれぞれ示している。
【００４７】
図１１、図１２に示すように、アウター排出口７３は、空洞部７１の周壁のうち排出腕６２の先端部分に開設されており、パチンコ球１個がちょうど通る大きさを有している。アウター排出口７３は、開閉レバー６１が第１位置となったときに真下（賞球タンク１１の底面を臨む方向）または斜め下方を向くようになっている。排出ノズル７２は、図１３および図１４に示すように、空洞部７１に嵌入される側の軸腕７５と、接続腕７６とが略Ｌ字に屈曲した形状を備え、軸腕７５の周壁にインナー排出口７４が開設されている。
【００４８】
軸腕７５は、インナー排出口７４よりも先へパチンコ球が行かないように先端側が封鎖されている。インナー排出口７４は、軸腕７５の周壁に楕円状もしくは長穴状に開設されており、その短径がパチンコ球の直径よりわずかに大きくなるように設定されている。
【００４９】
排出腕６２先端の空洞部７１と、これに嵌入された排出ノズル７２とが相対的に回転してアウター排出口７３とインナー排出口７４との穴位置が合うと、パチンコ球が排出ノズル７２の内部からアウター排出口７３を通って流出可能な補給状態となる。インナー排出口７４が楕円状を成しているので、空洞部７１と排出ノズル７２との相対位置が一定の角度範囲で補給状態が形成されるようになっている。
【００５０】
一方、アウター排出口７３とインナー排出口７４との穴位置がずれると、パチンコ球が排出ノズル７２の内部からアウター排出口７３を通って流出し得ない補給停止状態となる。このように排出部７０は、パチンコ球が流出可能な補給状態と流出不能な補給停止状態とを切り替えるパチンコ球流出阻止機構としての機能を備えている。
【００５１】
また、図１１に示すように、開閉レバー６１の基端側の上部端面には突起部６３が突設されている。図５および図１０に示すように、開閉レバー６１を軸支する支持腕５２の上面部には、第２位置となった開閉レバー６１の突起部６３と対面する位置に穴（図示省略）が開設されており、図示省略のアクチュエータがこの穴を上方からちょうど臨むようにしてスイッチ５４が取り付けてある。開閉レバー６１が図５や図１０に示した第２位置にあるとき、スイッチ５４のアクチュエータが突起部６３に押されてオンするようになっている。ここでは、スイッチ５４として常開型の接点（ａ接点）を有するマイクロスイッチを使用している。このスイッチ５４が、内枠１３の開閉検知などに利用される。
【００５２】
また、図５、図１０に示すように、接続プラグ５１の下端部と排出ノズル７２の接続腕７６の端部とは、パチンコ球の案内管８０で接続されている。案内管８０は弾性を有するとともに、所定量伸張した状態でもパチンコ球が円滑に通過し得る内径を保持可能に構成されている。ここでは、案内管８０として線状のバネを巻回したコイルバネを用いている。案内管８０は、図１において実線で示す第２位置のとき、フリーの状態よりもわずかに伸張されるようにその長さが設定されている。
【００５３】
開閉レバー６１には、賞球タンク１１の側壁と係合する箇所にスペーサ部材１００を着脱可能に取り付けることができる。スペーサ部材１００を着脱することで、開閉レバー６１の賞球タンク１１と係合する箇所から賞球タンク１１の側壁までの水平距離が調整可能になる。
【００５４】
図１６はスペーサ部材１００の正面を、図１７はスペーサ部材１００の背面を、図１８はスペーサ部材１００の側面を、図１９は図１６におけるスペーサ部材１００のＣ−Ｃ矢視断面をそれぞれ示している。スペーサ部材１００は、厚みＷの長方形を成したスペーサ基板１０１と、スペーサ基板１０１の正面上部中央から正面に垂直に突出した略円柱状の係止部１０２と、スペーサ基板１０１の係止部１０２と上下対象な位置に開設され、係止部１０２が係合可能な形状の穴部１０３と、スペーサ基板１０１の正面下部に形成された位置決め突起１０４と、スペーサ基板１０１の裏面上部に形成され、位置決め突起１０４と係合可能な位置決め穴１０５とを有している。
【００５５】
係止部１０２の先端にはその軸と垂直方向の外方へ突起した３つの係合爪１０２ａが１２０度間隔で形成されている。穴部１０３は、係止部１０２を軸方向に投影した形状を成している。
【００５６】
開閉レバー６１には、図１１、図１２等で示すように、スペーサ部材１００の穴部１０３と同形状の穴部６６と、位置決め穴１０５と同形状の位置決め穴６７とが形成してある。図２０に示すように、スペーサ部材１００の係止部１０２を開閉レバー６１の穴部６６に挿入した後、その挿入方向を軸としてスペーサ部材１００を所定角度（ここでは６０度）回転させると、互いが係止し、開閉レバー６１にスペーサ部材１００が装着される。このとき、スペーサ部材１００の位置決め突起１０４が開閉レバー６１の位置決め穴６７に係合してスペーサ部材１００の回転が抑止され、スペーサ部材１００の外れが防止される。なお、係合爪１０２ａは２つでもよいし、４つでもよい。係合爪１０２ａを４つにして、９０度間隔で形成すれば、４５度という少ない回転角度でスペーサ部材１００を係止させることができる。
【００５７】
また、図２１、図２２に示すように、スペーサ部材１００は、その厚み方向に複数連結可能に構成されている。すなわち、一方のスペーサ部材１００ａと他方のスペーサ部材１００ｂとを上下逆にし、一方のスペーサ部材１００ａの係止部１０２ａを他方のスペーサ部材１００ｂの穴部１０３ｂに挿入した後、その挿入方向を軸として互いを所定角度（ここでは６０度）相対回転させると連結される。図２２は、２つのスペーサ部材１００ａ、１００ｂを連結した状態の縦断面を示している。図１は、このように２個連結したスペーサ部材１００を開閉レバー６１に取り付けた状態を示している。
【００５８】
次に、パチンコ球補給装置３０の動作を説明する。
【００５９】
図２３に示すように、パチンコ機１０の内枠１３を閉じると、賞球タンク１１が矢印９１の示す方向へ移動してパチンコ球補給装置３０の下方へ進出し、この賞球タンク１１の側壁上端にスペーサ部材１００が係合し押し上げられて、開閉レバー６１が第１位置に回動する。このとき、コイルばねで構成された案内管８０によって排出ノズル７２の接続腕７６上端を常に接続プラグ５１の下端方向に引っ張るので、開閉レバー６１が略鉛直な第２位置から図２３に示す第１位置へ回動すると、排出腕６２の先端に形成された空洞部７１とその中に挿入された排出ノズル７２とが相対回転し、排出腕６２側のアウター排出口７３と排出ノズル７２側のインナー排出口７４との穴位置が合うようになる。これにより、玉補給管２３および案内管８０を通じて供給されるパチンコ球がインナー排出口７４およびアウター排出口７３を通って賞球タンク１１へ排出され得る補給状態になる。
【００６０】
賞球タンク１１内に多数のパチンコ球が貯留されてアウター排出口７３まで達すると、そのパチンコ球に阻止されてアウター排出口７３から次のパチンコ球が出なくなり、賞球タンク１１への補給が停止する。このようにして補給状態では、賞球タンク１１内にほぼ一定量のパチンコ球が貯留されるように、自動的にパチンコ球の補給が調整される。
【００６１】
一方、パチンコ機１０の内枠１３を開くと、賞球タンク１１が図２４の矢印９２で示す方向へ移動して退却する。このとき、案内管８０の張力によって開閉レバー６１が第１位置から図２４に示した第２位置へ回動する。これに伴って排出腕６２の先端に形成された空洞部７１とその中に挿入された排出ノズル７２とが図２３で説明した場合と逆方向に相対回転し、アウター排出口７３とインナー排出口７４の穴位置がずれて、パチンコ球が排出され得ない補給停止状態が形成される。
【００６２】
ところで、図２３に示すものでは、賞球タンク１１の進出量が少ないため、これを補うために開閉レバー６１にスペーサ部材１００を２連で装着してある。仮にスペーサ部材１００を装着しない場合には、開閉レバー６１が第１位置に至るまで回動しないので、インナー排出口７４とアウター排出口７３との穴位置が合わず、補給状態は形成されない。このように賞球タンク１１の進出量が不足する場合でも、図２３に示すようにスペーサ部材１００を装着することで、開閉レバー６１側の係合箇所から賞球タンク１１の側壁までの水平距離が短縮され、補給状態を形成することができる。
【００６３】
なお、賞球タンク１１の進出量は、遊技機１０や遊技機島２０の形状に応じて様々なので、それに応じて開閉レバー６１に取り付けるスペーサ部材１００の数を増減させたり、すべてのスペーサ部材１００を開閉レバー６１から取り外したりすればよい。スペーサ部材１００は、係止部１０２の挿脱と６０度程度の回転動作によって着脱できるので、遊技機１０の内枠１３を開き、遊技機島２０の外側から外枠１２の中へ手を伸ばして作業を行なわざるを得ない狭い場所でも、簡単に着脱することができる。
【００６４】
図２５は、開閉レバー６１側の係合箇所から賞球タンク１１の側壁までの水平距離の調整範囲を例示したものである。スペーサ部材１００の着脱により、スペーサ部材１００の厚みＷを単位に上記の水平距離を増減させて係合状態を調整することができる。また、螺子３１ｅを緩めて可動取付ベース３２を矢印９３が示す遊技機島２０の奥行き方向に位置調整することでも上記の水平距離を調整できる。可動取付ベース３２の位置調整をスペーサ部材１００の厚みＷより細かく行ない得るようにすれば、係合状態を微妙に調整することができる。また、可動取付ベース３２の位置調整可能な移動量をスペーサ部材１００の厚みＷより大きい（Ｗ＋α）にしておけば、スペーサ部材１００の装着数を増加させた場合と同じ効果を得ることができる。たとえば、現場でスペーサ部材１００の数が足りない場合にも、スペーサ部材１００に相当する分の水平距離を調整することができる。
【００６５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６６】
たとえば、パチンコ球補給装置は、パチンコ機の内枠１３の開閉に伴って移動する賞球タンク１１の側壁に係合させて開閉レバーを回動させる構造を有するものであれば、実施の形態で例示したものに限定されない。
【００６７】
また、スペーサ部材１００の形状やその着脱機構は、開閉レバーと賞球タンクとの距離を調整可能であれば、実施の形態で例示したものに限定されない。
【図面の簡単な説明】
【００６８】
【図１】本発明の実施の形態に係わるパチンコ球補給装置の動きを示す説明図である。
【図２】パチンコ機と玉貸機とを一組としたものを多数列設収容した遊技機島の一部を示す正面図である。
【図３】本発明の実施の形態に係わるパチンコ球補給装置を遊技機島の横桟に取り付けた状態をパチンコ機の背面側から見た様子を示す説明図である。
【図４】本発明の実施の形態に係わるパチンコ球補給装置を遊技機島の横桟に取り付けた状態をパチンコ機の側方から見た様子を示す説明図である。
【図５】ホルダー部を最下端に移動させた状態のパチンコ球補給装置を示す正面図である。
【図６】パチンコ球補給装置の組み付け状態を示す説明図である。
【図７】パチンコ球補給装置の固定部の平面および正面、右側面を示す説明図である。
【図８】パチンコ球補給装置の可動取付ベースおよびホルダー部を示す平面図である。
【図９】固定部と可動取付ベースとを組み合わせた状態のパチンコ球補給装置を示す平面図である。
【図１０】ホルダー部を最上端に移動させた状態のパチンコ球補給装置を示す正面図である。
【図１１】開閉レバーと排出腕とが一体に構成されたコック部材を示す正面図である。
【図１２】コック部材の図１１におけるＡ−Ａ矢視断面図である。
【図１３】排出腕の先端の空洞部に嵌入される排出ノズルを示す正面図である。
【図１４】排出ノズルの図１３におけるＢ−Ｂ矢視断面図である。
【図１５】空洞部に排出ノズルを嵌入した状態の一例を示す正面図である。
【図１６】スペーサ部材を示す正面図である。
【図１７】スペーサ部材を示す背面図である。
【図１８】スペーサ部材を示す左側面図である。
【図１９】スペーサ部材の図１６におけるＣ−Ｃ矢視断面図である。
【図２０】開閉レバーにスペーサ部材を装着する様子を示す説明図である。
【図２１】スペーサ部材を連結する様子を示す説明図である。
【図２２】２個連結したスペーサ部材を示す縦断面図である。
【図２３】開閉レバーが第１位置に回動した状態のパチンコ球補給装置を示す説明図である。
【図２４】開閉レバーが第２位置にある状態のパチンコ球補給装置を示す説明図である。
【図２５】賞球タンクの側壁から開閉レバーの係合箇所までの水平距離の調整範囲を示す説明図である。
【符号の説明】
【００６９】
２…玉貸機
１０…パチンコ機
１１…賞球タンク
１２…外枠
１３…内枠
１４…上受け皿
２０…遊技機島
２１…玉補給樋
２２…玉取入器
２３…玉補給管
２４…回収樋
２５…紙幣搬送機
２６…コイン搬送機
２７…横桟
３０…パチンコ球補給装置
３１…固定部
３１ａ…切欠き部
３１ｂ…位置決め壁
３１ｃ…螺子穴
３１ｄ…丸穴
３１ｅ…螺子
３１ｆ…螺子
３２…可動取付ベース
３２ａ…支持壁
３２ｂ…長穴
３３…ホルダー部
３４…スライドレール
３４ａ…底面部
３４ｂ…右側壁
３４ｃ…左側壁
３７、３８…スライドガイド穴
３９…位置決め穴
４１…内側壁
４２…係合片
４３…蝶ボルト
５１…接続プラグ
５２…支持腕
５３…回転軸
５４…スイッチ
６０…コック部材
６１…開閉レバー
６２…排出腕
６３…突起部
６６…穴部
６７…位置決め穴
７０…排出部
７１…空洞部
７２…排出ノズル
７３…アウター排出口
７４…インナー排出口
７５…軸腕
７６…接続腕
８０…案内管
９１…内枠を閉じたときに賞球タンクが進出する方向を示す矢印
９２…内枠を開いたときに賞球タンクが退却する方向を示す矢印
９３…可動取付ベースの移動方向
１００…スペーサ部材
１０１…スペーサ基板
１０２…係止部
１０２ａ…係合爪
１０３…穴部
１０４…位置決め突起
１０５…位置決め穴
【図１】
2006238943.tif 000003
【図２】
2006238943.tif 000004
【図３】
2006238943.tif 000005
【図４】
2006238943.tif 000006
【図５】
2006238943.tif 000007
【図６】
2006238943.tif 000008
【図７】
2006238943.tif 000009
【図８】
2006238943.tif 000010
【図９】
2006238943.tif 000011
【図１０】
2006238943.tif 000012
【図１１】
2006238943.tif 000013
【図１２】
2006238943.tif 000014
【図１３】
2006238943.tif 000015
【図１４】
2006238943.tif 000016
【図１５】
2006238943.tif 000017
【図１６】
2006238943.tif 000018
【図１７】
2006238943.tif 000019
【図１８】
2006238943.tif 000020
【図１９】
2006238943.tif 000021
【図２０】
2006238943.tif 000022
【図２１】
2006238943.tif 000023
【図２２】
2006238943.tif 000024
【図２３】
2006238943.tif 000025
【図２４】
2006238943.tif 000026
【図２５】
2006238943.tif 000027